(57)【要約】      （修正有）【課題】無線高周波ゲインのアンテナに応用可能なオムニディレクショナルアンテナを提供する。【解決手段】オムニディレクショナルアンテナは、印刷回路板上に金属層が形成されたアンテナであり、該アンテナは接地エリア２１を有し、該接地エリア２１の一側に第１輻射エリア２２、２３が形成され、該接地エリア２１と該第１輻射エリア２２、２３の間にギャップが形成される。該第１輻射エリア２２、２３の一端にループ結合抵抗２４が接続され、該ループ結合抵抗２４は右側のＣ形部Ｑと左側のＣ形部Ｐを有して英文字Ｓに類似の形状を呈する。該ループ結合抵抗２４の他端に第２輻射エリア２５が接続され、該第２輻射エリア２５は細長矩形を呈してオムニディレクショナルアンテナ形状を形成する。【選択図】図２
0003176971.tif 000002
【実用新案登録請求の範囲】
【請求項１】
印刷回路板上に金属層が形成されてなるアンテナであるオムニディレクショナルアンテナにおいて、該アンテナは接地エリアを有し、該接地エリアの幅は該アンテナの中心操作周波数の第１比率波長とされ、且つ高さは該アンテナの中心操作周波数の第２比率波長とされ、且つ該接地エリアの一側に第１輻射エリアが形成され、該第１輻射エリアの幅は該アンテナの中心操作周波数の第３比率波長とされ、且つ高さは該アンテナの中心操作周波数の第４比率波長とされ、該接地エリアと該第１輻射エリアの間にギャップが形成され、該第１輻射エリアの一端にループ結合抵抗が接続され、該ループ結合抵抗は右側の二つのＣ形部と左側の一つのＣ形部を有し、該ループ結合抵抗は右側の二つのＣ形部と左側の一つのＣ形部の波長がいずれも第１輻射エリアの高さの第１比率波長とされ、該ループ結合抵抗の他端に第２輻射エリアが接続され、該第２輻射エリアは細長矩形とされ、該第２輻射エリアの高さは第１輻射エリアの高さの第５比率波長とされ、且つ該第２輻射エリアの幅は該第１輻射エリアの幅の第３比率波長とされ、該第１輻射エリアの右下側にさらに電気フィード点が設置されたことを特徴とする、オムニディレクショナルアンテナ。
【請求項２】
請求項１記載のオムニディレクショナルアンテナにおいて、該第１比率波長は１／４倍波長とされ、該第２比率波長は１／３倍波長とされ、該第３比率波長は１／２倍波長とされ、該第４比率波長は３／４倍波長とされ、該第５比率波長は７／２倍波長とされることを特徴とする、オムニディレクショナルアンテナ。
【請求項３】
印刷回路板上に金属層が形成されてなるアンテナであるオムニディレクショナルアンテナにおいて、該アンテナは接地エリアを有し、該接地エリアの幅は該アンテナの中心操作周波数の第１比率波長とされ、且つ高さは該アンテナの中心操作周波数の第２比率波長とされ、且つ該接地エリアの一側に第１輻射エリアが形成され、該第１輻射エリアは幅広エリアと幅細区域と幅広区域を包含し、該第１輻射エリアの該幅広区域の高さは該接地エリアの高さの第６比率波長とされ、且つ該第１輻射エリアの該幅細区域の幅は該接地エリアの高さの波長と同じであり、且つ該第１輻射エリアの該幅細区域の高さ波長は該アンテナの中心操作周波数の第１比率波長とされ、該第１輻射エリアより延伸された該幅細区域の一端にループ結合抵抗が接続され、該ループ結合抵抗は右側の一つのＣ形部と左側の一つのＣ形部からなり、該ループ結合抵抗の他端に第２輻射エリアが接続され、該第２輻射エリアは細長矩形を呈し、該第２輻射エリアの高さは該アンテナの中心操作周波数の第３比率波長とされ、且つ該第２輻射エリアの幅は該ループ結合抵抗の高さの第７比率波長とされ、該第１輻射エリアの中心点下側にさらに電気フィード点が設けられたことを特徴とする、オムニディレクショナルアンテナ。
【請求項４】
請求項３記載のオムニディレクショナルアンテナにおいて、該ループ結合抵抗の該右側の一つのＣ形部の波長は該ループ結合抵抗の高さ波長の１／２であり、且つ該ループ結合抵抗の該左側の一つのＣ形部の波長は該ループ結合抵抗の高さ波長の１／２であり、且つ該ループ結合抵抗の高さ波長は該アンテナの中心操作周波数の１／４波長とされることを特徴とする、オムニディレクショナルアンテナ。
【請求項５】
請求項３記載のオムニディレクショナルアンテナにおいて、該第１比率波長は１／４倍波長とされ、該第３比率波長は１／２倍波長とされ、該第６比率波長は２／３倍波長とされ、該第７比率波長は１／２〜４／３倍波長とされることを特徴とする、オムニディレクショナルアンテナ。
【考案の詳細な説明】
【技術分野】
【０００１】
本考案はオムニディレクショナルアンテナに係り、特に一種の複合アンテナであって、無線高周波ゲインのアンテナに応用可能なオムニディレクショナルアンテナに関する。
【背景技術】
【０００２】
現在、無線通信は飛躍的な速度で発展し、携帯電話、ＧＰＳから無線ネットワークまでいずれも大きく進歩し、一般のノートブック型コンピュータにもＷｉ−Ｆｉ（ＩＥＥＥ８０２．１１）規格が配備されて無線オンライン機能が提供され、都市部の公共の場所或いは家庭で広く応用されている。これにより、無線ネットワークの研究開発の歩みは停止することがなく、高ゲインのアンテナはますます重要であることは明かであり、その特性の善し悪しが直接に無線通信製品の送受信機能に影響を与えるが、特に５ｄＢｉから６ｄＢｉの高周波数帯域においては、特性の掌握が難しい。本考案は上述の必要に対して提出されたアンテナ構造である。
【考案の概要】
【考案が解決しようとする課題】
【０００３】
上述の周知の技術の欠点に基づき、本考案は一種のオムニディレクショナルアンテナを提供し、その主要な目的は、無線高周波ゲインのアンテナに応用可能で、５ｄＢｉから６ｄＢｉの高周波数帯域に応用できるオムニディレクショナルアンテナを設計することにある。
【課題を解決するための手段】
【０００４】
上述の目的を達成するため、本考案のオムニディレクショナルアンテナは、印刷回路板上に金属層が形成されてなるアンテナであり、該アンテナは接地エリアを有し、該接地エリアの幅は該アンテナの中心操作周波数の第１比率波長とされ、且つ高さは該アンテナの中心操作周波数の第２比率波長とされ、且つ該接地エリアの一側に第１輻射エリアが形成され、該第１輻射エリアの幅は該アンテナの中心操作周波数の第３比率波長とされ、且つ高さは該アンテナの中心操作周波数の第４比率波長とされ、該接地エリアと該第１輻射エリアの間にギャップが形成され、該第１輻射エリアの一端にループ結合抵抗が接続され、該ループ結合抵抗は右側の二つのＣ形部と左側の一つのＣ形部を有し、該ループ結合抵抗は右側の二つのＣ形部と左側の一つのＣ形部の波長がいずれも第１輻射エリアの高さの第１比率波長とされ、該ループ結合抵抗の他端に第２輻射エリアが接続され、該第２輻射エリアは細長矩形とされ、該第２輻射エリアの高さは第１輻射エリアの高さの第５比率波長とされ、且つ該第２輻射エリアの幅は該第１輻射エリアの幅の第３比率波長とされ、該第１輻射エリアの右下側にさらに電気フィード点が設置される。
【０００５】
上述の目的を達成するため、本考案のオムニディレクショナルアンテナは、印刷回路板上に金属層が形成されてなるアンテナであり、該アンテナは接地エリアを有し、該接地エリアの幅は該アンテナの中心操作周波数の第１比率波長とされ、且つ高さは該アンテナの中心操作周波数の第２比率波長とされ、且つ該接地エリアの一側に第１輻射エリアが形成され、該第１輻射エリアは幅広エリアと幅細区域と幅広区域を包含し、該第１輻射エリアの該幅広区域の高さは該接地エリアの高さの第６比率波長とされ、且つ該第１輻射エリアの該幅細区域の幅は該接地エリアの高さの波長と同じであり、且つ該第１輻射エリアの該幅細区域の高さ波長は該アンテナの中心操作周波数の第１比率波長とされ、該第１輻射エリアより延伸された該幅細区域の一端にループ結合抵抗が接続され、該ループ結合抵抗は右側の一つのＣ形部と左側の一つのＣ形部からなり、該ループ結合抵抗の他端に第２輻射エリアが接続され、該第２輻射エリアは細長矩形を呈し、該第２輻射エリアの高さは該アンテナの中心操作周波数の第３比率波長とされ、且つ該第２輻射エリアの幅は該ループ結合抵抗の高さの第７比率波長とされ、該第１輻射エリアの中心点下側にさらに電気フィード点が設けられる。
【考案の効果】
【０００６】
上述の周知の技術の欠点に基づき、本考案は一種のオムニディレクショナルアンテナを提供し、それは無線高周波ゲインのアンテナに応用可能で、５ｄＢｉから６ｄＢｉの高周波数帯域に応用できる。
【図面の簡単な説明】
【０００７】
【図１】本考案のオムニディレクショナルアンテナの第１実施例図である。
【図２】本考案のオムニディレクショナルアンテナの第２実施例図である。
【図３Ａ】図１を３．３〜３．８ＧＨｚ周波数帯域に応用した水平特性図である。
【図３Ｂ】図１を３．３〜３．８ＧＨｚ周波数帯域に応用した水平特性図である。
【図３Ｃ】図１を３．３〜３．８ＧＨｚ周波数帯域に応用した水平特性図である。
【図３Ｄ】図１を３．３〜３．８ＧＨｚ周波数帯域に応用した水平特性図である。
【図３Ｅ】図１を３．３〜３．８ＧＨｚ周波数帯域に応用した垂直特性図である。
【図４Ａ】図１を３．３〜３．８ＧＨｚ周波数帯域に応用した垂直特性図である。
【図４Ｂ】図１を３．３〜３．８ＧＨｚ周波数帯域に応用した垂直特性図である。
【図４Ｃ】図１を３．３〜３．８ＧＨｚ周波数帯域に応用した垂直特性図である。
【図４Ｄ】図１を３．３〜３．８ＧＨｚ周波数帯域に応用した垂直特性図である。
【図４Ｅ】図１を３．３〜３．８ＧＨｚ周波数帯域に応用した垂直特性図である。
【考案を実施するための形態】
【０００８】
本考案の技術内容、構造特徴、達成する目的を詳細に説明するため、以下に実施例を挙げ並びに図面を組み合わせて説明する。
【実施例１】
【０００９】
図１を参照されたい。図示されるのは一種のオムニディレクショナルアンテナであり、それは、印刷回路板上に金属層が形成されたアンテナ１である。該アンテナ１は接地エリア１１を有し、該接地エリア１１の一側に第１輻射エリア１２が形成され、該接地エリア１１と該第１輻射エリア１２の間にギャップが形成され、該第１輻射エリア１２の一端にループ結合抵抗１３が接続され、該ループ結合抵抗１３は右側の二つのＣ形部（Ｅ，Ｇ）と左側の一つのＣ形部（Ｆ）を有して数字の３に類似の形状を呈する。該ループ結合抵抗１３の他端に第２輻射エリア１４が接続され、該第２輻射エリア１４は細長矩形を呈し、以上でオムニディレクショナルアンテナ形状を形成する。
【００１０】
前述の接地エリア１１の幅（Ａ）はアンテナ中心動作周波数１／４波長（第１比率波長、実用新案登録請求の範囲の名詞との対照のため、本実施例の複数の比率の波長は番号付けされる）とされ、且つ高さ（Ｂ）はアンテナ中心動作周波数１／３波長（第２比率波長）とされる。
【００１１】
前述の第１輻射エリア１２の幅（Ｃ）はアンテナ中心動作周波数１／２波長（第３比率波長）とされ、且つ高さ（Ｄ）はアンテナ中心動作周波数３／４波長（第４比率波長）とされる。
【００１２】
前述のループ結合抵抗１３は右側の二つのＣ形部（Ｅ，Ｇ）及び左側の一つのＣ形部（Ｆ）の波長がいずれも第１輻射エリア１２の高さ（Ｄ）の１／４倍波長とされる。
【００１３】
前述の第２輻射エリア１４の高さ（Ｈ）の波長は第２輻射エリア１２の高さ（Ｄ）の７／２倍波長（第５比率波長）とされる。
【００１４】
前述の第２輻射エリア１４の幅（Ｉ）の波長は第１輻射エリア１２の幅（Ｃ）の１／２倍波長（第３比率波長）とされる。
【００１５】
前述の第１輻射エリア１２の右下側に更に電気フィード点１２１が設けられる。
【００１６】
前述の第１輻射エリア１２と第２輻射エリア１４が形成する総経路により、該アンテナの第１及び第２の共振モードの電流経路を提供でき、上述の波長マッチングは最良の３．３〜３．８ＧＨｚ全周波数帯域の最良特性を獲得できる。
【実施例２】
【００１７】
図２を参照されたい。図示されるのは一種のオムニディレクショナルアンテナであり、それは、印刷回路板上に金属層が形成されたアンテナ２である。該アンテナ２は接地エリア２１を有し、該接地エリア２１の一側に第１輻射エリア（２２、２３）が形成され、該接地エリア１１と該第１輻射エリア１２の間にギャップが形成され、該第１輻射エリアは幅広区域（２２）と幅細区域（２３）を包含する。該第１輻射エリアより延伸された該幅細区域（２３）の一端にループ結合抵抗２４が接続され、該ループ結合抵抗２４は右側の一つのＣ形部（Ｑ）と左側の一つのＣ形部（Ｐ）を有して英文字のＳに類似の形状を呈する。該ループ結合抵抗２４の他端に第２輻射エリア２５が接続され、該第２輻射エリア２５は細長矩形を呈し、以上でオムニディレクショナルアンテナ形状を形成する。
【００１８】
前述の接地エリア２１の幅（Ｊ）はアンテナ中心動作周波数１／４波長（第１比率波長）とされ、且つ高さ（Ｋ）はアンテナ中心動作周波数１／３波長（第２比率波長）とされる。
【００１９】
前述の第１輻射エリア２２の高さ（Ｌ）は接地エリア２１の高さ（Ｋ）の２／３倍波長（第６比率波長）とされる。
【００２０】
前述の第１輻射エリアの幅細区域２３の幅（Ｍ）は接地エリア２１の高さ（Ｋ）と同じとされる。
【００２１】
前述の第１輻射エリアの幅細区域２３の高さ（Ｎ）はアンテナ中心動作周波数１／４波長（第１比率波長）とされる。
【００２２】
前述のループ結合抵抗２４の高さ（Ｏ）はアンテナ中心動作周波数１／４波長とされる。
【００２３】
前述のループ結合抵抗２４の右側のＣ形部（Ｑ）の波長はループ結合抵抗２４の高さ（Ｏ）波長の１／２とされ、且つ該ループ結合抵抗２４の左側のＣ形部（Ｐ）の波長はループ結合抵抗２４の高さ（Ｏ）波長の１／２とされる。前述の該第２輻射エリア２５の高さ（Ｒ）波長は該アンテナの中心操作周波数の１／２波長（第３比率波長）とされる。
【００２４】
前述の第２輻射エリア２５の幅（Ｓ）はループ結合抵抗２４の高さ（Ｏ）の波長の１／２から４／３倍波長とされる。
【００２５】
図３Ａから図３Ｅ、図４Ａから図４Ｅは図１を３．３〜３．８Ｇ周波数帯域に応用した水平と垂直特性図であり、各図中より図１のアンテナ特性が水平或いは垂直の３６０度中で、いずれも一定の水準を達成することが分かり、図３Ａ〜図３Ｅの水平９０度の観察より、そのアンテナゲインは０から１０Ｄｂに分布し、良好な特性を有することが分かる。さらに、図４Ａから図４Ｅの垂直９０度の観察より、そのアンテナゲインは１０から０Ｄｂに分布し、良好な特性を有することが分かり、各種の高周波の周波数帯域の応用に十分耐えられ、特に、５ｄＢｉから６ｄＢｉの高周波数帯域の特性は理想に近く、これにより無線電子製品の必要とするオムニディレクショナルアンテナに符合する。
【００２６】
総合すると、本考案の構造特徴及び各実施例はいずれもすでに詳細に開示され、十分に本考案が目的及び作用効果上、いずれも深い実施上の進歩性を有し、産業上の利用価値を極めて有することが明かとされ、且つ現在市場にはいまだその運用が見受けられず、特許法の精神の記述に基づき、本考案は完全に特許の要件に符合する。
【００２７】
以上述べたことは、本考案の実施例にすぎず、本考案の実施の範囲を限定するものではなく、本考案の実用新案登録請求の範囲に基づきなし得る同等の変化と修飾は、いずれも本考案の権利のカバーする範囲内に属するものとする。
【符号の説明】
【００２８】
１  アンテナ
１１  接地エリア
Ａ  幅
Ｂ  高さ
１２  第１輻射エリア
１２１  電気フィード点
Ｃ  幅
Ｄ  高さ
１３  ループ結合抵抗
Ｅ，Ｆ，Ｇ  Ｃ形部
１４  第２輻射エリア
Ｉ  幅
Ｈ  高さ
２  アンテナ
２１  接地エリア
Ｊ  幅
Ｋ  高さ
２２  第１輻射エリアの幅広区域
２２１  電気フィード点
Ｌ  高さ
２３  第１輻射エリアの幅細区域
Ｍ  幅
２４  ループ結合抵抗
Ｏ  ループ結合抵抗の長さ
Ｐ，Ｑ  ループ結合抵抗のＣ形部
２５  第２輻射エリア
Ｓ  幅
Ｒ  高さ
【図１】
0003176971.tif 000003
【図２】
0003176971.tif 000004
【図３Ａ】
0003176971.tif 000005
【図３Ｂ】
0003176971.tif 000006
【図３Ｃ】
0003176971.tif 000007
【図３Ｄ】
0003176971.tif 000008
【図３Ｅ】
0003176971.tif 000009
【図４Ａ】
0003176971.tif 000010
【図４Ｂ】
0003176971.tif 000011
【図４Ｃ】
0003176971.tif 000012
【図４Ｄ】
0003176971.tif 000013
【図４Ｅ】
0003176971.tif 000014